(57)【要約】【課題】高温多湿環境においても省エネ性を犠牲にすることなく、高品質な画像を形成できるようにする。【解決手段】作像部周辺を冷却除湿する冷却除湿制御機構を備え、省エネルギモード時にはエンジン制御基板を非通電状態とすることにより消費電力を低減する画像形成装置において、作像部周辺に配した温湿度センサ５０１の温湿度モニタリング制御部５００をエンジン制御部２００の各要素を搭載したエンジン制御基板から独立させる。その際、冷却除湿制御機構もエンジン制御基板から独立させるとよい。【選択図】図５
2008233262.tif 000002
【特許請求の範囲】
【請求項１】
作像部周辺を冷却除湿する冷却除湿制御機構を備え、省エネルギモード時にはエンジン制御基板を非通電状態とすることにより消費電力を低減する画像形成装置において、
作像部周辺に配した温湿度センサのモニタリング制御機構をエンジン制御基板から独立させたことを特徴とする画像形成装置。
【請求項２】
請求項１記載の画像形成装置において、
前記冷却除湿制御機構もエンジン制御基板から独立させたことを特徴とする画像形成装置。
【請求項３】
請求項１又は２記載の画像形成装置において、
前記温湿度センサは無線通信を行う手段を備えていることを特徴とする画像形成装置。
【請求項４】
請求項１ないし３のいずれか１項に記載の画像形成装置において、
前記作像部の感光体ユニットに温湿度センサ付きの無線ＩＣタグを装着したことを特徴とする画像形成装置。
【請求項５】
請求項４記載の画像形成装置において、
前記作像部がフルカラー画像を形成可能であり、前記感光体ユニットが複数存在する場合、全ての感光体ユニットに温湿度センサ付きの無線ＩＣタグを装着することを特徴とする画像形成装置。
【請求項６】
請求項４記載の画像形成装置において、
前記作像部がフルカラー画像を形成可能であり、前記感光体ユニットが複数存在する場合、存在する感光体ユニットのうちの１つに温湿度センサ付きの無線ＩＣタグを装着し、その他の感光体ユニットには温湿度センサ無しの無線ＩＣタグを装着することを特徴とする画像形成装置。
【発明の詳細な説明】
【技術分野】
【０００１】
本発明は、複写機、ファクシミリ、プリンタ及びこれらの機能を複合して備えたデジタル複合機などの画像形成装置に係り、特に、省エネルギ対応の画像形成装置に関する。
【背景技術】
【０００２】
画像形成装置の画像形成部には温湿度の影響を受けやすい部材が多く使用されている。トナーの流動性や現像剤の電荷量などはその中でも最たるもので、他にも感光体の帯電特性や、その帯電部に使用されているゴムローラの硬度などの特性も影響を受ける。また、高湿条件では、帯電部で発生したオゾンが感光体ドラムの表面近傍に滞留すると、感光体ドラム表面を酸化することから感光体ドラム表面の帯電特性が悪化し、画像ボケなどの異常画像が発生しやすくなる。
【０００３】
このような高温、高湿状態による悪影響を可能な限り排除するため、例えば特許文献１には、湿度検出手段により検出された機内湿度と所定の最適湿度とを比較し、該湿度差がある場合に前記湿度調節手段により装置内の湿度を調節するようにした発明が記載されている。また、特許文献２には、ペルチェ素子を用いた熱交換ユニットと熱交換ユニットを冷却し、放熱するためのファンを備えた空調装置により温度調整を行うようにした発明が記載されている。また、この発明では、作像部近傍には温湿度センサが配置され、そのセンサで測定した湿度が所定の値以上になった場合に空調装置を作動させるようにもなっている。
【０００４】
特許文献２記載の発明では、前記空調装置が作動することにより、外気が空調装置の低温部を通過し、この低温部を通過した外気は、低温部で冷却され、冷却除湿風となる。そこで、この冷却除湿風を作像部へ送風することによって作像部近傍の温湿度を抑制するようにしている。そして、この作像部近傍の温湿度を抑制することにより、前述の高温湿度に起因する影響を排除するようにしている。
【０００５】
ところで、この種の画像形成装置では省エネルギの要請が強く、省エネルギモードという動作モードが設けられているのが一般的である。この省エネルギモードは、ユーザが画像形成装置の操作部上の電源キーを押下した場合、あるいは予め設定された省エネルギモード移行時間が画像形成装置に対して何の動作指示も行われない状態で経過した場合に、省エネルギモードに自動的に移行する。この省エネルギモードへの移行は、制御回路のコントローラからエンジン制御部に省エネルギモード移行要求が送信されることにより行われる。
【０００６】
省エネルギモード移行要求を受けたエンジン制御部は接続されているアクチュエータＯＦＦ、定着部のヒータ及びリレーＯＦＦなどの処理を行い、電源遮断しても良い状態に移行する。そして、コントローラへ省エネルギモード移行完了を通知する。コントローラはエンジン制御部からの省エネルギモード移行完了通知を受けて、電源供給ユニットにエンジン制御部への電源遮断を指示する。省エネルギモードへの移行は、このようなシーケンスに従って行われる。
【０００７】
なお、関連する公知技術として特許文献３及び４記載の発明も公知である。
【特許文献１】特許第３３５２５７３号公報
【特許文献２】特開２００５−２６８５８４号公報
【特許文献３】特開２００５−０２６８６０号公報
【特許文献４】特開２００５−０７７７６２号公報
【発明の開示】
【発明が解決しようとする課題】
【０００８】
ところで、前述のシーケンスに従って省エネルギモードに入ると、空調装置及び温湿度センサは非通電状態になってしまうため、冷却除湿制御が不可能になってしまう。そのため、高温多湿環境に設置された画像形成装置において常に良好な画質を得たい場合は、当該画像形成装置が省エネモードに入らないような設定に変更し、除湿効果が低下しないようにしている。そのため、省エネルギ性が犠牲になっていた。
【０００９】
そこで、本発明が解決すべき課題は、高温多湿環境においても省エネルギ性を犠牲にすることなく、高品質な画像を形成できるようにすることにある。
【課題を解決するための手段】
【００１０】
前記課題を解決するため、第１の手段は、作像部周辺を冷却除湿する冷却除湿制御機構を備え、省エネルギモード時にはエンジン制御基板を非通電状態とすることにより消費電力を低減する画像形成装置において、作像部周辺に配した温湿度センサのモニタリング制御機構をエンジン制御基板から独立させたことを特徴とする。
【００１１】
第２の手段は、第１の手段において、前記冷却除湿制御機構もエンジン制御基板から独立させたことを特徴とする。
【００１２】
第３の手段は、第１又は第２の手段において、前記温湿度センサは無線通信を行う手段を備えていることを特徴とする。
【００１３】
第４の手段は、第１ないし第３のいずれかの手段において、前記作像部の感光体ユニットに温湿度センサ付きの無線ＩＣタグを装着したことを特徴とする。
【００１４】
第５の手段は、第４の手段において、前記作像部がフルカラー画像を形成可能であり、前記感光体ユニットが複数存在する場合、全ての感光体ユニットに温湿度センサ付きの無線ＩＣタグを装着することを特徴とする。
【００１５】
第６の手段は、第４の手段において、前記作像部がフルカラー画像を形成可能であり、前記感光体ユニットが複数存在する場合、存在する感光体ユニットのうちの１つに温湿度センサ付きの無線ＩＣタグを装着し、その他の感光体ユニットには温湿度センサ無しの無線ＩＣタグを装着することを特徴とする。
【発明の効果】
【００１６】
本発明によれば、作像部周辺に配した温湿度センサのモニタリング制御機構をエンジン制御基板から独立させ、温湿度モニタリング制御機構のみ作動させることが可能なので、高温多湿環境においても省エネルギ性を犠牲にすることなく、高品質な画像を形成することができる。
【発明を実施するための最良の形態】
【００１７】
以下、図面を参照し、本発明の実施形態について説明する。
【実施例１】
【００１８】
図１は本発明の実施例１に係る画像形成装置としてのデジタルカラー複写機の全体構成の概略を示す図である。同図において、デジタルカラー複写機１は給紙部２、原稿搬送部３、原稿読み取り部２３、及び画像形成部２０から基本的に構成されている。画像形成部２０はいわゆるタンデム式の作像部を有し、図１において中間転写ベルト２５の上側に４個の感光体ドラム２６Ｙ、２６Ｍ、２６Ｃ、２６Ｋが接した状態で並設されている。各感光体ドラム２６（以下、前色に共通し、概括的に述べる場合には、Ｙ，Ｍ，Ｃ，Ｋの色を表す添え字は省略する）の周りには、各感光体ドラム２６表面を帯電処理する帯電装置６２と、各感光体ドラム２６表面に形成された静電潜像を各色のトナーで可視像化する現像装置６３と、各感光体ドラム２６上のトナー像（可視像）を中間転写ベルト２５上に転写した後に感光体ドラム上に残ったトナーを回収するクリーニング装置６４がそれぞれ設けられている。この画像形成部２０の上部には、感光体ドラム２６表面上に静電潜像を形成する露光部を備えた露光装置７が設けられている。
【００１９】
給紙部２から搬送された転写紙は、レジストローラ３３のニップ位置で一旦停止し、感光体ドラム２６上の画像と同期をとって再給紙され、二次転写ローラ５１によって中間転写ベルト２５上のトナー像が転写紙に転写される。トナー像が転写された転写紙は定着装置２８で定着処理され、最後に排紙収納部２４に排出される。また、中間転写ベルト２５上に残留したトナーは中間転写ベルトクリーナ５２によってクリーニングされる。
【００２０】
定着装置２８で定着処理された転写紙が排紙収納部２４に排紙される際には、分岐爪４３によって排紙収納部２４側への搬送路が選択され、転写紙は排紙ローラ４１によって排紙収納部２４に排紙される。一方、転写紙の両面に画像を形成する場合には、分岐爪４３によって両面トレイ２９側の搬送路が選択される。両面トレイ２９側に搬送された転写紙は、両面トレイ２９で反転され、再度レジストローラ３３側まで搬送されて裏側の面に再度画像が形成され、同様の動作を経て排紙収納部２４に排紙される。
【００２１】
給紙部２の給紙トレイ５に集積され、給紙カセット２２に収納されたシートＰは、１枚ずつ給紙ローラ（ピックアップローラ）６によってピックアップされ、搬送ロー４を介してレジストローラ３３側まで搬送される。なお、ピックアップローラ６によってピックアップされた転写紙は分離ローラ８によって１枚ずつ画像形成部２０側に搬送される。
【００２２】
原稿搬送部３はＡＤＦとも称され、原稿載置台に載置された原稿を１枚ずつ画像読み取り部２３のコンタクトガラス３１上に搬送し、画像読み取り部２３で原稿画像を読み取る。読み取りは、照明用光源と第１ミラーを搭載した第１走行体３２ａ、第２及び第３ミラーを搭載した第２走行体３２ｂを原稿の副走査方向に移動させ、原稿からの反射光を第１ないし第３のミラーを介して結像レンズ３４に導き、ＣＣＤなどの光電変換素子３５上に結像して読み取る。
【００２３】
図２は図１のデジタルカラー複写機１の電気的構成の概略を示すブロック図である。  
図２において、デジタルカラー複写機１はシステム制御部１００とエンジン制御部２００と電源供給ユニット３００とから基本的に構成されている。システム制御部１００はコントローラ１１０とＦＡＸ制御部１２０を備えている。コントローラ１１０はさらにＡＳＩＣ１１１、ＣＰＵ１１２，ＲＯＭ１１３、ＲＡＭ１１４及びＮＶ−ＲＡＭ１１５を備え、電源供給ユニット３００から電源の供給を受けている。
【００２４】
エンジン制御部２００は画像処理部２１０、メイン制御部２２０、ＣＣＤ制御部（読み取り制御部）２３０及びＬＤ制御部（書き込み制御部）２４０を備えている。メイン制御部２２０はＣＰＵ２２１、ＲＯＭ２２２、ＲＡＭ２２３、Ｉ／Ｏ制御用ＡＳＩＣ２２４，２２５，２２６を備え、電源供給ユニット３００からＤＣ電力供給を受けている。
【００２５】
画像形成装置のコントローラ制御部１１０とエンジン制御部２００の基板は独立しており、エンジン制御部２００は主にスキャナ機構（画像読み取り部２３）とプリント機構（画像形成部２０）及び画像処理機能（画像処理部２１０）を制御し、空調装置４１２はプリント機構に含まれる。エンジン制御部２００に搭載されているＣＰＵは１つであり、このＣＰＵ２２１でエンジン・メイン制御部２２０、ＣＣＤ制御部２３０、画像処理部２１０、ＬＤ制御部２４０全てを制御し、駆動する。そして、このエンジン制御部２００が１つの制御基板、前記第１の手段で言うところのエンジン制御基板に搭載されている。従って、エンジン制御基板に通電するということはエンジン制御部２００に通電することを意味している。
【００２６】
本実施例は、温湿度センサ５０１をエンジン制御基板から独立させ別基板にて制御する。電源もエンジン制御部２００と温湿度モニタリング制御部（温湿度制御部）５００にそれぞれ独立して供給するようにしている。温湿度モニタリング制御基板５１０には装置を制御するためのＣＰＵ５１１、ＲＯＭ５１２、ＲＡＭ５１３(場合によってはＩ／Ｏ制御用ＡＳＩＣも加わる)が搭載され、エンジン・メイン制御部２２０とはシリアルバスにて接続される。また、エンジン制御部２００が搭載されたエンジン制御基板への通電、非通電も制御可能とする。温湿度モニタリング制御部５００は温湿度センサ５０１によって常時作像部周辺の温湿度を監視し、除湿冷却装置（例えば空調装置４１２）を作動させる条件を満たした場合にエンジン制御基板に除湿冷却装置動作開始を指示する。そして、除湿冷却動作開始後、除湿冷却動作停止条件を満たした場合はエンジン制御基板に除湿冷却装置動作停止を指示する。温湿度モニタリング制御基板５１０に配されるＣＰＵ５１１、ＲＯＭ５１２、ＲＡＭ５１３は当然のことながら、温湿度モニタリング機能及びエンジン制御基板との通信機能を実現するうえで必要最低限のスペックとし、できる限りコストはかけないようにする。なお、エンジン・メイン制御部２２０はセンサ４０１、アクチュエータ４０２、ファン４１１及び空調装置４１２を制御する。
【００２７】
図３及び図４は本実施例において省エネルギモードに移行する手順を示すフローチャートで、図３はコントローラ側の処理を、図４はエンジン側の処理をそれぞれ示す。省エネルギモードには、操作部上の電源スイッチをユーザが押下した場合、又は動作終了後所定時間以上放置(操作部上のキー操作もプリンタデータインもない状態)された場合に移行する。これらの監視及び判定はコントローラ１１０が行っている。そこで、省エネルギモードへの移行条件を満たした場合（ステップＳ１）、エンジン制御部２００へ省エネルギモード移行要求を発行する（ステップＳ２）。
【００２８】
エンジン制御部２００はコントローラ１１０からの省エネルギモード移行要求を受けると（ステップＳ１０）、除湿冷却動作に必要なファン・空調装置以外のアクチュエータ４０２を停止（Ｓ１１）し、また、定着ヒータをＯＦＦし（ステップＳ１２）、さらにはパワーリレーをＯＦＦ（ステップＳ１３）する。そして、温湿度モニタリング制御部５００にこれから省エネルギモード移行することを通知する（ステップＳ１４）。その後、コントローラ１１０へ省エネルギモード移行完了を通知する（ステップＳ１５）。
【００２９】
コントローラ１１０はエンジン制御部２００からの省エネルギモード移行完了通知を受ける（ステップＳ３）と、電源供給ユニット３００に温湿度モニタリング制御部５００以外への電源遮断を指示（ステップＳ４）し、省エネルギモード移行手順が完了する。
【００３０】
温湿度モニタリング制御部５００は省エネルギモードでなくても常時作動しているが、省エネルギモード移行時にエンジン制御部２００から「省エネルギモード移行通知」を受けた後は必要に応じて省エネルギモード専用の制御を行う。省エネルギモード中に除湿冷却動作が必要になった場合は、電源供給ユニット３００にエンジン・メイン制御部２２０への通電を指示し、エンジン制御部２００の起動確認後にエンジン・メイン制御部２２０に除湿冷却装置（空調装置）４１２動作開始を指示する。そして、除湿冷却動作開始後に除湿冷却動作停止条件を満たした場合は、エンジン・メイン制御部２２０に除湿冷却装置動作停止を指示するとともに、電源供給ユニット３００にエンジン・メイン制御部２２０への電源遮断を指示する。
【００３１】
また、本実施例では、省エネルギモード中はＣＰＵ２２１に供給されるクロックを低速にできるようクロック生成部(図示しない)をエンジン制御基板内に設ける。ＣＰＵ２２１、ＲＯＭ２２２、ＲＡＭ２２３及びＩ／Ｏ制御用ＡＳＩＣ２２４，２２５，２２６はＣＰＵバスで接続されている。通常動作時はクロック生成部からこれらのＣＰＵ２２１、ＲＯＭ２２２、ＲＡＭ２２３及びＩ／Ｏ制御用ＡＳＩＣ２２４，２２５，２２６に高速クロック信号を送出している。そして、温湿度センサモニタリング制御部５００からエンジン制御部２００内のクロック生成部にクロック設定データ信号を送出可能とする。
【００３２】
省エネルギモード中に温湿度モニタリング制御部５００により作像部周辺の温湿度が除湿冷却移行要求を受けたエンジン制御部２００は各種アクチュエータ４０２を停止し、定着ヒータ及びリレーをＯＦＦした後にコントローラ１１０へ省エネルギモード移行完了を通知する。コントローラ１１０は電源供給ユニット３００にエンジン制御部２００の温湿度モニタリング制御部５００以外への電源遮断を指示するとともに、エンジン制御部２００内のクロック生成部に低速クロック設定信号を送出する。これにより省エネルギモード時は低速クロックでエンジン制御部２００が動作することになる。
【００３３】
実施例１では、前述のように構成されているので、省エネルギモード中の消費電力を抑えながらも、冷却除湿機構を動作させることが可能となる。これにより、除湿効果を得るために省エネルギ性を犠牲にする必要がなくなる。
【００３４】
また、省エネルギモード中に冷却除湿機構を動作させるにあたってはプリント時のように多くのＣＰＵパワーを必要としない。そのため、省エネルギモード中は低速クロックで冷却除湿機構を動作させることが可能となり、消費電力をさらに低減することができる。
【実施例２】
【００３５】
図５は本実施例２に係るデジタルカラー複写機１の電気的構成の概略を示すブロック図である。本実施例では、冷却除湿動作に必要な実施例１におけるファン４１１及び空調装置４１２をさらにエンジン制御基板から独立させ、温湿度モニタリング制御基板５１０とも別の基板にて制御するようにしたものである。電源も電源供給ユニット３００からエンジン制御部２００、温湿度モニタリング制御部５００、及び空調制御部６００にそれぞれ独立して供給する。
【００３６】
ファン６０２及び空調装置６０３を制御する空調装置制御基板６１０には温湿度モニタリング制御部５００の制御基板５１０と同様に装置を制御するためのＣＰＵ６１１、ＲＯＭ６１２、ＲＡＭ６１３(場合によってはＩ／Ｏ制御用ＡＳＩＣも加わる)が搭載され、エンジン制御部２００とはシリアルバスで接続される。空調装置制御基板６１０に搭載されるＣＰＵ６１１、ＲＯＭ６１２、ＲＡＭ６１３についても温湿度モニタリング制御部５００と同様に、必要機能を実現するうえで必要最低限のスペックとし、できる限りコストはかけないようにする。
【００３７】
本実施例では、省エネルギモード移行要求を受けたエンジン制御部２００はアクチュエータ４０２を停止し、定着ヒータ及びリレーをＯＦＦした後に温湿度モニタリング制御部５００へ省エネルギモード移行を通知し、また、コントローラ１１０へ省エネルギモード移行完了を通知する。コントローラ１１０は電源供給ユニット３００にエンジン制御部２００及び空調制御部６００への電源遮断を指示する。一方、温湿度モニタリング制御部５００は温湿度センサ５０１によって省エネルギモード中も作像部周辺の温湿度を監視し、除湿冷却動作開始条件を満たした場合には電源供給ユニット３００に空調制御部６００への通電を指示する。そして、除湿冷却動作開始後、除湿冷却動作停止条件を満たした場合はエンジン制御基板に除湿冷却装置動作停止を指示する。
【００３８】
その他、特に説明しない各部は前述の実施例１と同等に構成され、同等に機能する。
【００３９】
なお、図６に示すように温湿度センサ５０１’を無線通信可能なものとすると、温湿度モニタリング制御部５００の制御基板から離して設置することができる。このときの無線通信制御は温湿度モニタリング制御部５００のＣＰＵ５１１によって行う。
【００４０】
温湿度センサ５０１’として無線ＩＣタグを使用することもできる。この場合には、例えば、感光体ユニット２６Ｋ，２６Ｃ，２６Ｍ，２６Ｙのそれぞれに温湿度センサ付きの無線ＩＣタグを装着する。無線ＩＣタグへのアクセスも温湿度モニタリング制御部５００にて行う。エンジン制御部２００が無線ＩＣタグにアクセスする場合でも温湿度モニタリング制御部５００経由で行う。除湿冷却動作開始条件は４つの温湿度センサのうちいずれかが所定条件を満たした場合とする。
【００４１】
なお、本実施例では、画像形成装置はデジタルカラー複写機を例示しているので、温湿度センサ付きの無線ＩＣタグは各色毎に設けているが、１色を代表して設けることも可能である。また、モノカラーであれば１個となる。
【００４２】
あるいは、４つの感光体ユニットのうち１つにのみ温湿度センサ付き無線ＩＣタグを装着し、残りの感光体ユニットには無線ＩＣタグのみ装着とすることもできる。除湿冷却動作開始条件は温湿度センサ５０１が測定した環境が所定条件を満たした場合とするが、どのユニットに温湿度センサ５０１を装着するかは除湿冷却効果が最も効きにくい場所を選ぶ必要がある。これにより常に安定した画像を得ることができる。また、装置のコストを抑えることができる。
【００４３】
このように温湿度センサ５０１を無線通信可能なものにすることにより、センサレイアウトの自由度が高まり、温湿度を知りたい箇所にセンサを配置することが可能となる。これにより常に安定した画像を得ることができる。
【００４４】
温湿度センサ付きの無線ＩＣタグを感光体ユニット２６に装着させることにより、感光体ユニット２６近傍の温湿度を測定できるだけでなく、装着している感光体ユニット２６に関する稼働情報などをＩＣタグに記録することができる。
【００４５】
省エネルギモード時に除湿冷却動作を実行するか否かは操作部などから手動で設定変更可能である。設定値は不揮発メモリなどに記録し、電源ＯＦＦされても覚えておくようにする。これにより冷却除湿が必要でない環境で無駄な電力を消費することを回避することができる。
【００４６】
省エネルギモード時の除湿冷却動作設定が「不可」の場合は、エンジン制御部２００から独立させている制御基板には省エネルギモード時に通電しておく必要がなくなる。従って、この場合、コントローラ１１０は図３のステップＳ４で省エネルギモード時の除湿冷却動作設定を参照し、「不可」の場合はエンジン制御部２００及び除湿冷却動作に関連する制御基板全てへの通電遮断を指示する必要がある。エンジン制御の方は図４のフローチャートと同様に制御する。ステップＳ１４で温湿度モニタ制御部５００に省エネ移行を通知しているが、この後、エンジン制御部２００も温湿度モニタ制御部５００も電源が落とされてしまうので問題はない。これにより設置環境に応じて省エネルギモード中の冷却除湿が不要と設定された場合に無駄な電力の消費を回避することができる。
【００４７】
また、省エネルギモード時の冷却除湿動作条件を操作部などから手動で設定変更可能とすることもできる。冷却除湿動作の開始条件と終了条件は、例えば、「開始条件：湿度６５％、終了条件：湿度５０％」などである。設定値は不揮発メモリなどに記録し、電源ＯＦＦされても覚えておくようにする。なお、図４のステップＳ１４において温湿度モニタ制御部５００に省エネ移行を通知するときには、同時に省エネルギモード中の除湿冷却動作条件も通知しておく。これにより無駄な電力の消費を回避することができる。
【００４８】
さらに、温湿度モニタリング制御部５００に原稿読み取り部２３の結露防止ヒータ及びその近傍の温湿度を測定するセンサを接続しておけば、省エネルギモード中においても原稿読み取り部２３の温度が所定の温度より低い場合のみ結露防止ヒータをＯＮすることが可能となる。これにより結露防止用のヒータ制御の最適化を図ることが可能となり、消費電力を抑制することができる。
【００４９】
また、温湿度モニタリング制御部５００に給紙部、二次転写部の除湿ヒータ及びその近傍の温湿度を測定するセンサを接続しておけば、省エネルギモード中においても給紙部又は二次転写部が所定の湿度より高い場合のみ除湿ヒータをＯＮすることが可能となる。これにより給紙部・二次転写部の除湿ヒータ制御の最適化を図ることが可能となり、消費電力を抑制することができる。
【００５０】
本実施例で使用されている空調装置４１２，６０３は冷却部への送風と放熱部の排熱のためにファン４１１，６０２を使用しており、これらを省エネルギモード時に作動させると騒音の問題を発生することがある。そこで、省エネルギモード時に冷却除湿を行う場合はファン４１１，６０２の回転速度を通常動作時より低速に抑えるようにする。これにより騒音の発生を回避することができる。
【００５１】
一方、省エネルギモード時に空調装置４１２，６０３のファン４１１，６０２の回転を低速化すると除湿効率が悪くなる虞がある。また、本実施例で使用している空調装置では従来技術と同様にペルチェ素子により冷却された部分に結露した水分は排熱で蒸発させるようになっている。ファン４１１，６０２の回転が低速化すると、これらにも影響を与える。そこで、本実施例では、ファン４１１，６０２の回転を落とすのに合わせて、ペルチェ素子の駆動電流を小さくするようにしている。これにより、騒音回避とともに消費電力の低下も図ることができる。  
このように構成すると、省エネルギモード中の冷却除湿動作中の騒音を抑えることが可能となる。これにより、省エネ性を損なうことなく作像部の冷却・除湿効果を高め、常に安定した画像を得ることができる。
【００５２】
省エネルギモード中に冷却除湿が必要ない場合は温湿度モニタリング制御部５００のみ通電させ、冷却除湿動作が必要になったら空調制御部６００を通電させることも可能であり、このように制御することにより、状況に応じた必要最低限な構成のみ動作させることが可能となる。その結果、除湿効果を得るために省エネルギ性を犠牲にする必要がなくなる。
【図面の簡単な説明】
【００５３】
【図１】本発明の実施例１に係るデジタルカラー複写機の機械的構成の概略を示す図である。
【図２】実施例１に係るデジタルカラー複写機の電気的構成の概略を示すブロック図である。
【図３】実施例１におけるコントローラ側の処理手順を示すフローチャートである。
【図４】実施例１におけるエンジン側の処理手順を示すフローチャートである。
【図５】実施例２に係るデジタルカラー複写機の電気的構成を示すブロック図である。
【図６】実施例２に係るデジタルカラー複写機の電気的構成の変形例を示すブロック図である。
【符号の説明】
【００５４】
１００  システム制御部
１１０  コントローラ
１１２  ＣＰＵ
２００  エンジン制御部
２１０  画像処理部
２２０  エンジン・メイン制御部
２２１  ＣＰＵ
２２４〜２２６  Ｉ／Ｏ制御用ＡＳＩＣ
３００  電源供給ユニット
４０１  センサ
４０２  アクチュエータ
５０１，５０１’  温湿度センサ
４１１，６０２  ファン
４１２，６０３  空調装置  
５００  温湿度モニタリング制御部（温湿度制御部）５００
５１０  温湿度モニタリング制御基板
６００  空調制御部
６１０  空調装置制御基板
【図１】
2008233262.tif 000003
【図２】
2008233262.tif 000004
【図３】
2008233262.tif 000005
【図４】
2008233262.tif 000006
【図５】
2008233262.tif 000007
【図６】
2008233262.tif 000008